(57)【特許請求の範囲】
【請求項１】
第１の内視鏡画像を表示するための第１の画像表示領域と、前記第１の画像表示領域表示される前記第１の内視鏡画像とは視差の異なる第２の内視鏡画像又は前記第１の内視鏡画像の計測値を示すグラフを表示するための第２の画像表示領域とを有する表示装置と、
前記第１の画像表示領域上で第１の操作指示を受けると、前記第１の画像表示領域内に表示される指定点を増加させ、
前記第２の画像表示領域上で第２の操作指示を受けると、前記指定点を減少させるように前記表示装置の表示制御を実行する表示制御部と、を有することを特徴とする内視鏡画像表示装置。
【請求項２】
第１の内視鏡画像を表示するための第１の画像表示領域と、前記第１の画像表示領域表示される前記第１の内視鏡画像と同一である第２の内視鏡画像又は前記第１の内視鏡画像の計測値を示すグラフを表示するための第２の画像表示領域とを有する表示装置と、
前記第１の画像表示領域上で第１の操作指示を受けると、前記第１の画像表示領域内に表示される指定点を増加させ、
前記第２の画像表示領域上で第２の操作指示を受けると、前記指定点を減少させるように前記表示装置の表示制御を実行する表示制御部と、を有することを特徴とする内視鏡画像表示装置。
【請求項３】
前記第１の内視鏡画像と前記第２の内視鏡画像は、ステレオ計測用の左右の内視鏡画像であることを特徴とする請求項１に記載の内視鏡画像表示装置。
【請求項４】
前記表示制御部は、前記内視鏡画像表示装置がステレオ計測モードになると、前記表示制御を実行することを特徴とする請求項１または３に記載の内視鏡画像表示装置。
【請求項５】
前記第１の操作指示と、前記第２の操作指示は同じ操作であることを特徴とする請求項１から４のいずれか１つに記載の内視鏡画像表示装置。
【請求項６】
前記表示装置は、タッチパネル付きであり、
前記第１の操作指示及び前記第２の操作指示は、前記タッチパネルへのタッチによる指示であることを特徴とする請求項１から５いずれか１つに記載の内視鏡画像表示装置。
【請求項７】
操作部を有し、
前記第１の操作指示及び前記第２の操作指示は、前記操作部において行われることを特徴とする請求項１から５いずれか１つに記載の内視鏡画像表示装置。
【請求項８】
前記第２の画像表示領域は、前記第１の画像表示領域外の所定の領域であることを特徴とする請求項１に記載の内視鏡画像表示装置。
【請求項９】
前記第２の画像表示領域は、前記第１の画像表示領域とは大きさが異なることを特徴とする請求項１に記載の内視鏡画像表示装置。
【請求項１０】
前記グラフは、前記第１の画像表示領域内に表示される前記指定点についての計測値のグラフを表示するグラフであることを特徴とする請求項１に記載の内視鏡画像表示装置。
【請求項１１】
前記第１の画像表示領域上に、前記指定点が複数表示されているときに、前記第２の画像表示領域上で第２の操作指示を受けると、前記表示制御部は、前記複数の指定点の中でもっとも新しい指定点を削除して、前記複数の指定点を減少させるように前記表示装置の表示制御を実行することを特徴とする請求項１から１０のいずれか１つに記載の内視鏡画像表示装置。
【請求項１２】
前記第１の画像表示領域上に、前記指定点が複数表示され、一の指定点が削除された後に、前記第１の画像表示領域上で第３の操作指示を受けると、前記表示制御部は、前記一の指定点を、再現することを特徴とする請求項１１に記載の内視鏡画像表示装置。
【請求項１３】
前記第１の画像表示領域上に、前記指定点が複数表示されているときに、前記第２の画像表示領域上で第４の操作指示を受けると、前記表示制御部は、前記複数の指定点の中で前記もっとも新しい指定点の指定のための前記第１の操作指示を取り消すことによって、前記複数の指定点を減少させるように前記表示装置の表示制御を実行することを特徴とする請求項１から１２のいずれか１つに記載の内視鏡画像表示装置。
【請求項１４】
前記第１の画像表示領域上に、前記指定点が複数表示され、前記複数の指定点により規定される面積又は距離が計測されているときに、前記第２の画像表示領域上で、計測された前記面積又は前記距離に関わる前記複数の指定点に対する前記第２の操作指示を受けると、前記表示制御部は、前記面積又は前記距離に関わる前記複数の指定点を一括して削除することを特徴とする請求項１に記載の内視鏡画像表示装置。
【請求項１５】
前記内視鏡画像表示装置は、内視鏡装置であることを特徴とする請求項１から１４のいずれか１つに記載の内視鏡画像表示装置。
【請求項１６】
第１の内視鏡画像を表示するための第１の画像表示領域と、前記第１の画像表示領域表示される前記第１の内視鏡画像とは視差の異なる第２の内視鏡画像又は前記第１の内視鏡画像の計測値を示すグラフを表示するための第２の画像表示領域とを有する表示装置の前記第１の画像表示領域上で第１の操作指示を受けると、前記第１の画像表示領域内に表示される指定点を増加させ、
前記第２の画像表示領域上で第２の操作指示を受けると、前記指定点を減少させる、ことを特徴とする内視鏡画像表示装置の作動方法。
【請求項１７】
第１の内視鏡画像を表示するための第１の画像表示領域と、前記第１の画像表示領域表示される前記第１の内視鏡画像とは視差の異なる第２の内視鏡画像又は前記第１の内視鏡画像の計測値を示すグラフを表示するための第２の画像表示領域とを有する表示装置の表示制御を行うためのプログラムであって、
前記第１の画像表示領域上で第１の操作指示を受けると、前記第１の画像表示領域内に表示される指定点を増加させる機能と、
前記第２の画像表示領域上で第２の操作指示を受けると、前記指定点を減少させる機能と、をコンピュータに実現させるための内視鏡画像表示プログラム。
【発明の詳細な説明】
【技術分野】
【０００１】
本発明は、内視鏡画像表示装置、内視鏡画像表示装置の作動方法、内視鏡画像表示プログラムに関する。
【背景技術】
【０００２】
従来より、内視鏡装置が、工業分野及び医療分野で広く利用されている。内視鏡装置では、挿入部の先端部に設けられた観察窓を通して得られた被写体の内視鏡画像がモニタに表示され、検査者であるユーザはモニタを見ながら被写体の検査をすることができ、かつ内視鏡画像を記憶装置に記録することもできる。
【０００３】
内視鏡装置には、種々のタイプがあり、例えば、ステレオ計測機能を有する内視鏡がある。ステレオ計測機能を有する内視鏡装置を利用すれば、挿入部の先端から被写体上の指定した点までの距離を計測したり、被写体上で指定した２点間の距離を計測することができる。  
さらに、特開２０１３−１３７４６６号公報には、タッチパネル上で計測点等の指定点の指定が容易な内視鏡装置が提案されている。
【０００４】
ユーザは、表示されている内視鏡画像上で計測点などの指定点を指定することができると共に、一旦指定した指定点を削除することもできる。間違って指定した指定点を削除する場合、ユーザは、メニュー画面から削除コマンドを指定して、削除したい指定点を削除することができる。
【０００５】
上記提案の内視鏡装置では、削除したい指定点を長押しする、すなわち長く触れる、ことによって、その指定点を削除することができるようになっている。指定点の長押しによる指定点を削除する方法は、メニューから削除コマンドを選択して削除する方法に比べて、簡単な操作でできるというメリットがある。
【先行技術文献】
【特許文献】
【０００６】
【特許文献１】特開２０１３−１３７４６６号公報
【発明の概要】
【発明が解決しようとする課題】
【０００７】
しかし、計測機能を有する内視鏡装置において、例えばステレオ計測による長さ、面積などを計測する場合、計測点の指定は正確にされなければならない。  
ステレオ計測点の場合、２つの画面の一方で計測点としての指定点を指定すると、他方の画面上には、マッチング処理により決定された対応点が表示される。検査者であるユーザは、指定点と対応点を見て、指定点が正確に指定できているかを判定するが、対応点は、内視鏡装置の演算により決定されるため、所望の位置が指定できていない場合も少なくない。よって、このような正確な指定点の指定ができない場合においても、指定点の削除が行われる。
【０００８】
また、内視鏡装置においては、指定点は多数設定される場合もある。よって、指定点の削除が、何回も行われる場合もある。  
上述したメニュー画面から削除コマンドを選択して指定点の削除をする方法では、メニュー画面の選択、コマンドの選択、等々の繁雑な操作が必要となるため、ユーザにとって、指定点の削除は、簡単ではない。
【０００９】
また、上述した提案に係る内視鏡装置のように、長押しにより指定点の削除を行う方法では、触れている時間が所定の時間より短いと、指定点の削除ができなかったり、あるいは指定点の追加がされてしまう場合もある。さらに、多くの指定点を削除する場合、累積長押し時間が比較的長くなり、ユーザにとっては、所望の指定点の削除が簡単にできないという問題がある。
【００１０】
そこで、本発明は、指定点の削除が容易な内視鏡画像表示装置、内視鏡画像表示方法及び内視鏡画像表示プログラムを提供することを目的とする。
【課題を解決するための手段】
【００１１】
本発明の一態様の内視鏡画像表示装置は、第１の内視鏡画像を表示するための第１の画像表示領域と、前記第１の画像表示領域表示される前記第１の内視鏡画像とは視差の異なる第２の内視鏡画像又は前記第１の内視鏡画像の計測値を示すグラフを表示するための第２の画像表示領域とを有する表示装置と、前記第１の画像表示領域上で第１の操作指示を受けると、前記第１の画像表示領域内に表示される指定点を増加させ、前記第２の画像表示領域上で第２の操作指示を受けると、前記指定点を減少させるように前記表示装置の表示制御を実行する表示制御部と、を有する。
本発明の他の態様の内視鏡画像表示装置は、第１の内視鏡画像を表示するための第１の画像表示領域と、前記第１の画像表示領域表示される前記第１の内視鏡画像と同一である第２の内視鏡画像又は前記第１の内視鏡画像の計測値を示すグラフを表示するための第２の画像表示領域とを有する表示装置と、前記第１の画像表示領域上で第１の操作指示を受けると、前記第１の画像表示領域内に表示される指定点を増加させ、前記第２の画像表示領域上で第２の操作指示を受けると、前記指定点を減少させるように前記表示装置の表示制御を実行する表示制御部と、を有する。
【００１２】
本発明の一態様の内視鏡画像表示装置の作動方法は、第１の内視鏡画像を表示するための第１の画像表示領域と、前記第１の画像表示領域表示される前記第１の内視鏡画像とは視差の異なる第２の内視鏡画像又は前記第１の内視鏡画像の計測値を示すグラフを表示するための第２の画像表示領域とを有する表示装置の前記第１の画像表示領域上で第１の操作指示を受けると、前記第１の画像表示領域内に表示される指定点を増加させ、前記第２の画像表示領域上で第２の操作指示を受けると、前記指定点を減少させる。
【００１３】
本発明の一態様の内視鏡画像表示プログラムは、第１の内視鏡画像を表示するための第１の画像表示領域と、前記第１の画像表示領域表示される前記第１の内視鏡画像とは視差の異なる第２の内視鏡画像又は前記第１の内視鏡画像の計測値を示すグラフを表示するための第２の画像表示領域とを有する表示装置の表示制御を行うためのプログラムであって、前記第１の画像表示領域上で第１の操作指示を受けると、前記第１の画像表示領域内に表示される指定点を増加させる機能と、前記第２の画像表示領域上で第２の操作指示を受けると、前記指定点を減少させる機能と、をコンピュータに実現させる。
【発明の効果】
【００１４】
本発明によれば、指定点の削除が容易な内視鏡画像表示装置、内視鏡画像表示装置の作動方法、内視鏡画像表示プログラムを提供することができる。
【図面の簡単な説明】
【００１５】
【図１】本発明の実施の形態に係わる内視鏡装置の構成を示すブロック図である。
【図２】本発明の実施の形態に係わる、ステレオ計測モード時における表示部１４に表示されるステレオライブ画像の例を示す図である。
【図３】本発明の実施の形態に係わる、ステレオ計測モード時における、指定点と対応点の指定と削除の処理の流れの例を示すフローチャートである。
【図４】本発明の実施の形態に係わる、LCD１４ａに表示されたステレオライブ画像の表示例を示す図である。
【図５】本発明の実施の形態に係わる、ユーザの指Fが左眼画像表示領域３２上をタッチしている状態を示すタッチパネル１４ｂの表示画面の例を示す図である。
【図６】本発明の実施の形態に係わる、ユーザの指Fが右眼画像表示領域３３上をタッチしている状態を示すタッチパネル１４ｂの表示画面の例を示す図である。
【図７】本発明の実施の形態に係わる、ユーザが指Fで右眼画像表示領域３３上の削除したい対応点３５ｂをタッチしている状態を示すタッチパネル１４ｂの表示画面の例を示す図である。
【図８】本発明の実施の形態の変形例１に係わる、ユーザの指Fが左眼画像表示領域３２外の領域の任意の点をタッチしている状態を示すタッチパネル１４ｂの表示画面の例を示す図である。
【図９】本発明の実施の形態の変形例２に係わる、３つの指定点が指定された後、１つの指定点が間違って削除された状態を示すタッチパネル１４ｂの表示画面の例を示す図である。
【図１０】本発明の実施の形態の変形例２に係わる、図９の状態で、右方向へのフリック操作をした後の、状態を示すタッチパネル１４ｂの表示画面の例を示す図である。
【図１１】本発明の実施の形態の変形例２に係わる、図１０の状態においての左方向へのフリック操作を説明するための図である。
【図１２】本発明の実施の形態の変形例２に係わる、図１１の状態で、右眼画像表示領域３３上で左方向へのフリック操作をした後の、状態を示すタッチパネル１４ｂの表示画面の例を示す図である。
【図１３】本発明の実施の形態の変形例２に係わる、指定点の再現と操作の取り消しの処理の流れの例を示すフローチャートである。
【図１４】本発明の実施の形態の変形例３に係わる、３点間を結ぶ線により形成された三角形の面積を計測する処理結果が表示されるタッチパネル１４ｂの表示画面の例を示す図である。
【図１５】本発明の実施の形態の変形例３に係わる、２点間の距離を計測する処理結果が表示されるタッチパネル１４ｂの表示画面の例を示す図である。
【図１６】本発明の実施の形態の変形例３に係わる、計測結果関連指定点の一括削除処理の流れの例を示すフローチャートである。
【図１７】本発明の実施の形態の変形例４に係わる、一方の画像表示領域には内視鏡画像と指定点が表示され、他方の画像表示領域には計測結果のグラフが表示されるタッチパネル１４ｂの表示画面の例を示す図である。
【図１８】本発明の実施の形態の変形例４に係わる、画像表示領域３７上の任意の位置がタッチされ、最も新しく指定された指定点が削除されたグラフが表示されるタッチパネル１４ｂの表示画面の例を示す図である。
【図１９】本発明の実施の形態の変形例４に係わる、指定点を指定し表示する左眼画像表示領域３２と、対応点を表示する右眼画像表示領域３３と併せて、別のウインドウに画像表示領域３７を表示するタッチパネル１４ｂの表示画面の例を示す図である。
【図２０】本発明の実施の形態の変形例５に関わる、タッチパネル１４ｂの表示画面の例を示す図である。
【発明を実施するための形態】
【００１６】
以下、図面を参照して本発明の実施の形態を説明する。
（構成）
図１は、本実施の形態に係わる内視鏡装置の構成を示すブロック図である。内視鏡装置１は、内視鏡２と、内視鏡２が接続される装置本体３とを有して構成される。内視鏡２は、装置本体３に対して着脱可能に構成されている。内視鏡２は、挿入部の先端部に設けられた観察窓を介して得られた被写体の撮像信号を装置本体３へ出力する。
【００１７】
内視鏡装置１は、通常の観察機能に加えて、ステレオ計測機能を有している。よって、内視鏡２は、図示しない挿入部を有し、挿入部の先端部には、ステレオ計測を行うときに使用されるための光学アダプタ４が着脱可能になっている。光学アダプタ４は、２つの観察窓を有し、内視鏡２の挿入部の撮像素子の撮像面に、互いに視差を有する被写体の２つの光学像を与える。光学アダプタ４は、内視鏡２あるいは装置本体３が、内視鏡２の挿入部の先端に光学アダプタ４が装着されたことを検出できるようにするための接点（図示せず）を有している。
【００１８】
装置本体３は、カメラコントロールユニット（以下、CCUという）１１と、制御部１２と、映像信号処理回路１３と、タッチパネル付き表示部（以下、表示部という）１４と、操作部１５と、LANインターフェース（以下、LAN I/Fと略す）１６と、メモリカードインターフェース（以下、メモリカードI/Fと略す）１７と、USBインターフェース（以下、USB I/Fと略す）１８と、音声信号処理回路１９と、スピーカ２０と、マイク２１を含んで構成されている。
【００１９】
CCU１１は、制御部１２の制御の下、内視鏡２の撮像素子（図示せず）を駆動すると共に、撮像素子から出力される撮像信号を受信して映像信号処理回路１３へ出力する。  
制御部１２は、装置本体３内の各種回路からの信号を受信すると共に、各種回路への制御信号を出力する。制御部１２は、中央処理装置（以下、CPUという）１２ａ、ROM１２ｂ及びRAM１２ｃを含む。
【００２０】
ROM１２ｂには、後述する計測点指定削除処理プログラムを含む各種プログラムと、各種設定データとが、記憶されている。  
また、制御部１２は、内視鏡２を介する光学アダプタ４の接点の導通状態信号に基づき、光学アダプタ４が内視鏡２の挿入部の先端に装着されたか否かを判定することができる。
【００２１】
映像信号処理回路１３は、CCU１１からの撮像信号を処理して映像信号すなわち画像信号を生成し、表示部１４へ出力する。映像信号処理回路１３は、制御部１２の制御の下、各種機能に応じた画像処理を実行する。ステレオ計測機能が実行されるとき、映像信号処理回路１３は、互いに視差のある２つの内視鏡画像を生成し、表示部１４へ出力する。すなわち、内視鏡装置１は、内視鏡画像表示装置である。
【００２２】
表示部１４は、液晶表示器（LCD）１４ａと、タッチパネル１４ｂを有する表示装置である。タッチパネル１４ｂは、例えば静電方式のタッチパネルであり、液晶表示器１４ａの表示画面上に密着して設けられている。タッチパネル１４ｂからの位置信号は、制御部１２へ出力される。
【００２３】
操作部１５は、フリーズボタン、レリーズボタン、ジョイスティック、ズームボタン、メニューボタンなどの複数の操作器を有する。  
LAN I/F１６は、ローカルエリアネットワーク（以下、LANという）との接続のためのインターフェースである。内視鏡装置１は、LAN I/F１６を介してLANに接続された外部機器と通信を行うことができる。
【００２４】
メモリカードI/F１７は、記憶媒体としてのメモリカードを装着するためのインターフェースである。内視鏡装置１は、メモリカードI/F１７を介してメモリカードへの内視鏡画像の記録、及びメモリカードからのデータの読み込みを行うことができる。
【００２５】
USB I/F１８は、USB（Universal Serial Bus）ケーブルあるいはUSB機器を接続するためのインターフェースである。内視鏡装置１は、USB I/F１８を介してUSB機器への内視鏡画像の記録、及びUSB機器からのデータの読み込みを行うことができる。
【００２６】
音声信号処理回路１９は、制御部１２の制御の下、制御部１２からの音声信号を処理して、スピーカ２０から音声を出力させ、かつマイク２１からの音声信号を処理して制御部１２へ出力する。内視鏡装置１は、内視鏡画像と共に、音声も記録し、再生することができる。
【００２７】
検査者であるユーザは、タッチパネル１４ｂあるいは操作部１５を操作することにより、内視鏡装置１の各種機能を実行させることができる。制御部１２は、タッチパネル１４ｂあるいは操作部１５において指示されたコマンドに応じて、所定のプログラムをROM１２ｂから読み出して、RAM１２ｃを作業領域として使用しながら実行することにより、内視鏡画像をLCD１４ａに表示したり、得られた内視鏡画像をメモリカードに記録したりすることができる。さらに、ユーザは、光学アダプタ４を内視鏡２の挿入部の先端部に装着し、LCD１４ａの画面上に表示されたメニュー画面から所望のコマンドを選択して実行を指示することで、内視鏡装置１にステレオ計測機能を実行させることもできる。
（ステレオライブ画像の構成）
次に、ステレオ計測機能が実行されているときにおける表示部１４に表示される内視鏡画像について説明する。
【００２８】
図２は、ステレオ計測モード時における表示部１４に表示されるステレオライブ画像の例を示す図である。図２の画面３１は、ステレオライブ画像が表示される２つの画像表示領域３２と３３を含むグラフィカル・ユーザ・インターフェース（GUI）である。LCD１４ａに表示される画面３１は、左眼画像と右眼画像の２つの画像を表示する２つの画像表示領域を有する。よって、表示部１４は、内視鏡画像を表示するための左眼画像表示領域３２と、所定の表示領域としての右眼画像表示領域３３を有する表示装置である。すなわち、所定の表示領域は、第１の画像表示領域としての第１の画像表示領域３２に表示される内視鏡画像とは、視差が異なる内視鏡画像を表示する第２の画像表示領域としての右眼画像表示領域３３である。
【００２９】
２つの画像表示領域の内の左眼画像表示領域３２は、左眼画像を表示し、右眼画像表示領域３３は、右眼画像を表示する。光学アダプタ４により、内視鏡２は、左右の画像を含む撮像信号を生成し、装置本体３では、受信した撮像信号から左眼画像と右眼画像が生成され、LCD１４ａに表示される。
【００３０】
なお、ここでは、左眼画像表示領域３２と右眼画像表示領域３３が表示部１４のLCD１４ａの１つの表示部に表示されているが、２つの表示装置を用いて、左眼画像表示領域３２と右眼画像表示領域３３を別々の表示装置に表示するようにしてもよい。
【００３１】
ユーザは、ステレオ計測モードにおいて計測点を指定することができる。例えば、ユーザは、タッチパネル１４ｂ上で、計測点を指定したい位置において所定の操作、例えばダブルタップ操作、をすることによって、その位置に計測点を設定することができる。あるいは、ユーザは、タッチパネル１４ｂ上にカーソルを表示させ、タッチパネル１４ｂ上で、所定の操作をすることによって、カーソルを移動させて、カーソルのある所望の位置に計測点を設定することができる。
【００３２】
なお、ユーザは、設定した計測点あるいは、計測点に対応する対応点に対して、指によるドラッグ操作などをすることによって、計測点を所望の位置に移動させることもできる。
【００３３】
図２では、計測点としての指定点３５ａと、その指定点に対応する対応点３５ｂが、それぞれ、画像表示領域３２と３３に表示されている。因みに、図２では、LCD１４ａには、ジェットエンジン内の、一部に欠けDが発生しているブレードBの一部が表示されている。ここでは、指定点３５ａは、ユーザが所定の操作により指定した点であり、対応点３５ｂは、指定点３５ａに対応する、マッチング処理により指定点３５ａに対応する位置が算出されて表示された点である。  
左眼画像表示領域３２に表示される内視鏡画像と、右眼画像表示領域３３に表示される内視鏡画像は、ステレオ計測用の左右の内視鏡画像であり、互いに視差を有する画像である。
【００３４】
すなわち、指定点３５ａの位置と対応点３５ｂの位置は、２つの内視鏡画像の視差に応じた位置に表示される。よって、左眼画像表示領域３２内の指定点３５ａの位置を移動させると、右眼画像表示領域３３内の対応点３５ｂの位置も移動するが、移動する対応点３５ｂの位置は、指定点３５ａにより示される被写体上の位置に対応する、右眼画像上の位置がマッチング処理により計算された位置である。同様に、右眼画像表示領域３３内の対応点３５ｂの位置を移動させると、左眼画像表示領域３２内の指定点３５ａの位置も移動するが、移動する指定点３５ａの位置は、対応点３５ｂにより示される被写体上の位置に対応する、左眼画像上の位置がマッチング処理により計算された位置である。
【００３５】
よって、左眼画像表示領域３２をタッチしている場合、タッチパネル１４ｂ上をドラッグ操作すると指の動きに追従して左眼の操作アイコンである指定点３５ａは移動し、かつ右眼アイコンである対応点３５ｂも指定点３５ａの移動に追従して移動する。指定点３５ａの動きを停止させると、対応点３５ｂも停止する。
【００３６】
右眼画像表示領域３３をタッチしている場合、タッチパネル１４ｂ上をドラッグ操作すると指の動きに追従して右眼の操作アイコンである対応点３５ｂは移動し、かつ左眼アイコンである指定点３５ａも対応点３５ｂの移動に追従して移動する。対応点３５ｂの動きを停止させると、指定点３５ａも停止する。
【００３７】
なお、ステレオ計測では、１つの計測点が指定される場合だけでなく、２点間の距離を計測する場合等は、２つ以上の計測点が指定される。
（作用）
次に、本実施の形態の内視鏡装置１の動作について説明する。図３は、ステレオ計測モード時における、指定点と対応点の指定と削除の処理の流れの例を示すフローチャートである。図３の処理は、ステレオ計測用の光学アダプタ４が挿入部の先端部に装着されたときに、制御部１２のCPU１２ａがROM１２ｂから計測点指定削除処理プログラムを読み出して実行することにより、行われる。  
なお、以下の説明では、左眼画像表示領域３２上で指定点の指定が行われ、右眼画像表示領域３３上に対応点の表示がされる例で説明するが、右眼画像表示領域３３上で指定点の指定が行われ、左眼画像表示領域３２上に対応点の表示がされるようにしてもよい。
【００３８】
光学アダプタ４が装着されると、制御部１２は、映像信号処理回路１３に対して指示を出力して、図４に示すようなステレオライブ画像をLCD１４ａに表示させる（S1）。図４は、LCD１４ａに表示されたステレオライブ画像の表示例を示す図である。
【００３９】
次に、制御部１２は、ステレオ計測モードが設定されたか否かを判定する（S2）。ステレオ計測モードの設定は、ユーザがメニュー画面からステレオ計測モードを選択することによって行われる。
【００４０】
ステレオ計測モードが設定されないときは（S2:NO）、処理は、S1に戻る。ステレオ計測モードが設定されると（S2:YES）、制御部１２は、以下に説明する表示部１４の表示制御を実行し、タッチパネル１４ｂに対する何らかの操作があったか否かを判定する（S3）。タッチパネル１４ｂに対する何らかの操作がなければ、処理は、S1に戻る。
【００４１】
なお、ステレオ計測モードが設定されると、左眼画像表示領域３２上には、所定の位置にカーソルが表示されるようにしてもよい。そして、カーソルを移動させ、カーソルにより、計測点の指定を行うようにしてもよい。
【００４２】
ここで、タッチパネル１４ｂに対する何らかの操作とは、タッチパネル１４ｂへのタッチ、ダブルタップなどのタッチによる指示である操作である。ダブルタップ操作とは、素早く連続して２回画面に触れる操作である。すなわち、左眼画像表示領域３２上で何らかのタッチ操作が行われたかが判定される。  
タッチパネル１４ｂに対して何らかの操作が行われると（S3:YES）、制御部１２は、その操作が、左眼画像表示領域３２上で行われた操作であるかを判定する（S4）。
【００４３】
S3における何らかの操作が左眼画像表示領域３２への操作であるとき（S4:YES）、制御部１２は、指定点追加処理を実行する（S5）。  
指定点追加処理（S5）では、左眼画像表示領域３２上のタッチされた位置に、指定点を追加生成する。
【００４４】
図５は、ユーザの指Fが左眼画像表示領域３２上をタッチしている状態を示すタッチパネル１４ｂの表示画面の例を示す図である。ユーザが指Fでタッチした位置に、計測点である指定点３５ａが生成されて追加される。そして、左眼画像表示領域３２上の指定点３５ａに対応する対応点３５ｂが、右眼画像表示領域３３に表示される。  
S5の処理後、処理は、S3に戻る。
【００４５】
ユーザが、再度、ユーザの指Fが左眼画像表示領域３２上をタッチすると（S3:YES）、そのタッチした位置に、指定点が追加される。よって、ユーザは、左眼画像表示領域３２上を複数回タッチすることによって、複数の指定点を指定することができる。
【００４６】
S3における操作が左眼画像表示領域３２への操作でないとき（S4:NO）、制御部１２は、指定点減少処理を実行する（S6）。  
指定点減少処理（S6）では、生成された指定点３５ａを削除する。例えば、図５の状態で、ユーザが右眼画像表示領域３３の任意の位置をタッチすると、指定点３５ａは削除される。
【００４７】
図６は、ユーザの指Fが右眼画像表示領域３３上をタッチしている状態を示すタッチパネル１４ｂの表示画面の例を示す図である。ユーザが指Fで右眼画像表示領域３３上の任意の位置をタッチすると、左眼画像表示領域３２上の指定点３５ａが削除され、指定点３５ａの削除に伴い、右眼画像表示領域３３上の対応点３５ｂも削除され、タッチパネル１４ｂの表示画面は、図４の画面に戻る。すなわち、ユーザが、右眼画像表示領域３３上の任意の位置をタッチすると、左眼画像表示領域３２上の指定点３５ａと右眼画像表示領域３３上の対応点３５ｂが一緒に削除されて、指定点３５ａと対応点３５ｂは、表示されなくなり、消える。S6の処理後、処理は、S3に戻る。
【００４８】
なお、左眼画像表示領域３２上に複数の指定点３５ａが指定されている状態で、指定点減少処理（S6）が実行されると、最も新しく指定された指定点が削除される。すなわち、複数の指定点３５ａが指定されている状態で、S6の処理が複数回実行されると、最も新しく指定された指定点から順に、最も古く指定された指定点が最後に削除されるように、指定点が削除されていく。言い換えれば、左眼画像表示領域３２上に、指定点が複数表示されているときに、右眼画像表示領域３３で何らかのタッチの操作指示を受けると、表示制御部である制御部１２は、複数の指定点の中でもっとも新しい指定点を削除して、複数の指定点を減少させるように表示部１４の表示制御を実行する。  
なお、S3における操作が左眼画像表示領域３２への操作でないとき（S4:NO）、指定点減少処理を実行する（S6）前に、「実行」ボタンと「キャンセル」ボタンを含むダイアログ画面を表示して、ユーザが「実行」ボタンを確定したときのみ指定点を削除する処理を入れてもよい。
以上のように、ユーザは、右眼画像表示領域３３上の任意の位置をタッチするだけで、指定点３５ａ及び対応点３５ｂの削除を簡単に行うことができる。
【００４９】
なお、上述した例では、ユーザは、指定点３５ａを削除するときは、右眼画像表示領域３３上の任意の位置をタッチすればよいが、対応点３５ｂをタッチしたときに、指定点３５ａが削除されるようにしてもよい。対応点３５ｂがタッチされると、指定点３５ａと対応点３５ｂが削除される。削除したい対応点３５ｂをタッチすることにより、指定点３５ａが削除されるようにすることは、複数の指定点３５ａの中で所望の指定点のみを削除したいときに、便利である。
【００５０】
図７は、ユーザが指Fで右眼画像表示領域３３上の削除したい対応点３５ｂをタッチしている状態を示すタッチパネル１４ｂの表示画面の例を示す図である。タッチパネル１４ｂ上では、３つの指定点３５ａ１，３５ａ２，３５ａ３が設定されている。ユーザが指定点３５ａ２を削除したいとき、指Fで右眼画像表示領域３３上の対応点３５ｂ２の位置をタッチすると、左眼画像表示領域３２上の指定点３５ａ２のみが削除され、タッチパネル１４ｂの表示画面は、２つの指定点３５ａ１，３５ａ３と、２つの対応点３５ｂ１，３５ｂ３が表示された状態になる。
【００５１】
さらになお、上述した例では、左眼画像表示領域３２上でタッチすると、計測点である指定点が設定され、右眼画像表示領域３３上でタッチすると、指定点が削除されるが、左眼画像表示領域３２上でのタッチ方法と同じタッチ方法で、右眼画像表示領域３３上でタッチがされたときに、指定点の削除が行われるようにしてもよい。すなわち、左眼画像表示領域３２上への操作指示と、右眼画像表示領域３３上への操作指が同じ操作であるときに、指定点の削除が行われるようにしてもよい。
【００５２】
例えば、左眼画像表示領域３２上でダブルタップ操作が行われると、そのダブルタップ操作された位置に、計測点である指定点の設定及び追加がされる場合、右眼画像表示領域３３上でダブルタップ操作が、任意の位置あるいは対応点上で行われると、指定点の削除が行われるようにしてもよい。
【００５３】
よって、S4、S5及びS6の処理が、左眼画像表示領域３２に対する操作指示を受けると、左眼画像表示領域３２内に表示される指定点を増加させ、右眼画像表示領域３３に対する操作指示を受けると、指定点を減少させるように表示部１４の表示制御を実行する表示制御部を構成する。
【００５４】
以上のように、上述した実施の形態によれば、指定点の削除が容易な内視鏡画像表示装置を提供することができる。
（変形例１）
上述した実施の形態では、指定点の削除は、対応点を表示する第２の表示領域としての右眼画像表示領域３３内の任意の点あるいは対応点３５ｂをタッチすることによって行われているが、左眼画像表示領域３２外の領域の任意の点をタッチすることによって行うようにしてもよい。
【００５５】
図８は、変形例１に係わる、ユーザの指Fが左眼画像表示領域３２外の領域の任意の点をタッチしている状態を示すタッチパネル１４ｂの表示画面の例を示す図である。図８では、タッチパネル１４ｂ上には、右眼画像表示領域３３は表示されていない。
【００５６】
図８に示すように、指定点３５ａの設定をした後に、その指定点３５ａを削除する場合は、左眼画像表示領域３２外の所定の領域３４を、ユーザが指Fでタッチすると、指定点３５ａの削除が行われる。すなわち、左眼画像表示領域３２外の、右眼画像表示領域３３ではない、所定の領域３４をタッチすることによって、指定点の削除が行われるようにしてもよい。
【００５７】
本変形例１によれば、左眼画像表示領域３２を最大限大きく表示させることができる。さらに、本変形例１においても、左眼画像表示領域３２上に複数の指定点３５ａが指定されている状態で、指定点減少処理（S6）が実行されると、最も新しく指定された指定点が削除される。領域３４をユーザが指Fで複数回タッチすると、最も新しく指定された指定点から、順番に指定点が削除されていく。
（変形例２）
上述したように、ステレオ計測では、複数の指定点が設定される場合がある。上述した実施の形態では、指定点の削除は、対応点を表示する第２の表示領域としての右眼画像表示領域３３の任意の点あるいは対応点３５ｂをタッチすることによって行われているが、間違って削除した指定点を再指定したい場合がある。さらに、間違って再指定した場合に、右眼画像表示領域３３内の任意の場所あるいは対応点３５ｂをタッチすることによって再指定した指定点を削除するのではなく、再指定を取り消したい場合もある。
【００５８】
本変形例２は、そのような間違って削除した指定点を再度同じ位置に再現したい場合及び、誤った再指定を取り消したい場合に、そのような再現及び取り消しを簡単にする方法に関する。
【００５９】
図９は、変形例２に係わる、３つの指定点が指定された後、１つの指定点が間違って削除された状態を示すタッチパネル１４ｂの表示画面の例を示す図である。図９において、点線で示す丸３５ｄは、削除された指定点３５ａ３があった位置を示し、点線で示す丸３５ｅは、削除された指定点３５ｂ３に対応する対応点があった位置を示している。
【００６０】
なお、制御部１２は、指定点が指定される度に、各指定点の指定された順番と、位置情報を、ＲＡＭ１２ｃに一時的に記憶する。さらに、制御部１２は、タッチパネル１４ｂ上で操作指示がされる度に、各操作指示のされた順番を、ＲＡＭ１２ｃに一時的に記憶する。
【００６１】
ユーザが、間違って削除した指定点を再指定したい場合、ユーザが指Fを、図９の状態において点線の矢印で示すように、右方向へ移動させるフリック操作（短い距離を弾くようにさっと動かす操作）を左眼画像表示領域３２上で行うと、削除された指定点が再度表示、すなわち再現される。
【００６２】
図１０は、図９の状態で、右方向へのフリック操作をした後の、状態を示すタッチパネル１４ｂの表示画面の例を示す図である。  
制御部１２は、ＲＡＭ１２ｃに記憶された最後に指定された指定点３５ａ３の位置情報に基づいて、削除された指定点３５ａ３を再現して表示する。図１０に示すように、削除された指定点３５ａ３が再現されて表示され、その再現された指定点３５ａ３に対応する対応点３５ｂ３も表示される。
【００６３】
しかし、上記の右へのフリック操作が間違った操作であり、再現した指定点３５ａ３を削除したい場合、ユーザが指Fを、図１１において点線の矢印で示すように、左へ移動させるフリック操作を右眼画像表示領域３３上で行うと、指定点の再現を指示した右へのフリック操作が取り消される。図１１は、図１０の状態においての左方向へのフリック操作を説明するための図である。
【００６４】
図１２は、図１０の状態で、右眼画像表示領域３３上で左方向へのフリック操作をした後の、状態を示すタッチパネル１４ｂの表示画面の例を示す図である。  
制御部１２は、ＲＡＭ１２ｃに記憶された最後にされた操作指示の情報に基づいて、その最後にされた操作指示を実行する前の実行状態に戻り、削除された指定点３５ａ３を表示しない。その結果、図１２に示すように、指定点３５ａ３が再現される前の、指定点３５ａ１と３５ａ２が表示され、指定点３５ａ１と３５ａ２に対応する対応点３５ｂ１と３５ｂ２が表示された状態に、タッチパネル１４ｂの表示画面は戻る。
【００６５】
図１３は、本変形例２における、指定点の再現と操作の取り消しの処理の流れの例を示すフローチャートである。図１３の処理は、図３の処理に加えて実行される。  
制御部１２は、タッチパネル１４ｂに対する所定の操作があったか否かを判定する（S11）。ここで、所定の操作とは、左眼画像表示領域３２上での右方向へのフリック操作又は右眼画像表示領域３３上での左方向へのフリック操作である。所定の操作がされなければ（S11:NO）、処理は何もしない。
【００６６】
タッチパネル１４ｂに対する所定の操作が行われると（S11:YES）、制御部１２は、その操作が、左眼画像表示領域３２上での所定の操作、具体的には右方向へのフリック操作、であるかを判定する（S12）。
【００６７】
S12における所定の操作が左眼画像表示領域３２上での右方向へのフリック操作であるとき（S12:YES）、制御部１２は、指定点再現処理を実行する（S13）。  
指定点再現処理（S13）では、ＲＡＭ１２ｃに記憶された最後に指定された指定点３５ａ３の位置情報に基づいて、削除された指定点を再現し、上述した図９から図１０に示すように、削除された指定点３５ａ３を再現し、その再現された指定点３５ａ３に対応する対応点３５ｂ３も表示する処理が行われる。
【００６８】
よって、左眼画像表示領域３２上に、指定点が複数表示され、その中の一の指定点が削除された後に、左眼画像表示領域３２上で右方向へのフリック操作の操作指示がされると、表示制御部である制御部１２は、その削除された一の指定点を再現する。
【００６９】
S12における所定の操作が右眼画像表示領域３３上での左方向へのフリック操作であるとき（S12:NO）、制御部１２は、操作取消処理を実行する（S14）。  
操作取消処理（S14）では、ＲＡＭ１２ｃに記憶された最後にされた操作指示の情報に基づいて、最後にされた操作を取り消し、上述した図１０から図１２に示すように、再現された指定点３５ａ３を削除し、その指定点３５ａ３に対応する対応点３５ｂ３も表示しないようにする処理が行われる。
【００７０】
よって、左眼画像表示領域３２上に、指定点が複数表示されているときに、右眼画像表示領域３３上で左方向へのフリック操作の操作指示がされると、表示制御部である制御部１２は、複数の指定点の中でもっとも新しい指定点の指定のための右方向へのフリック操作を取り消すことによって、複数の指定点を減少させるように、表示部１４の表示制御を実行する。  
S13及びS14の処理後、処理は、終了する。
【００７１】
よって、本変形例２によれば、ユーザは、右眼画像表示領域３３上の任意の位置をタッチするだけで、指定点３５ａ及び対応点３５ｂの削除を簡単に行うことができるとともに、間違って削除した指定点を簡単に再現することができ、さらに間違って再現した指定点を簡単に削除することができる。また、画面上に指定点再現処理や操作取り消し処理を実行するボタンを配置しないことで画面全体にライブ画像を表示することができる。
【００７２】
なお、上述した例では、間違って削除した指定点の再現の指示は、右方向へのフリック操作であり、間違って再現した指定点の削除の指示は、左方向へのフリック操作であるが、これらの指示のための操作は、他の操作方法でもよい。例えば、各指示は、指を動かす方向は関係の無いフリック操作などでもよい。
（変形例３）
上述した実施の形態では、指定点の削除が簡単に行えるが、本変形例３では、計測モードでは、複数の指定点により形成される面積や、２点間の距離を算出させることができるので、算出させた面積に関する複数の指定点をまとめて削除したり、算出させた距離に関する２つの指定点をまとめて削除することができる。
【００７３】
図１４は、３点間を結ぶ線により形成された三角形の面積を計測する処理結果が表示されるタッチパネル１４ｂの表示画面の例を示す図である。  
面積を求めるコマンドにより設定した３つの対応点３５ｂ１，３５ｂ２，３５ｂ３により形成される三角形TRの面積を表示させる処理を実行させると、右眼画像表示領域３３上には、三角形TRの部分（斜線で示す領域）が表示され、同時に、図示しない表示領域に、その面積の値が表示される。
【００７４】
面積の計測をした後、ユーザが、右眼画像表示領域３３上の、計測結果に関わる領域である三角形TRの部分（斜線で示す領域）をタップ、ダブルタップ等のタッチ操作をすると、計測結果に関する３つの指定点３５ａ１，３５ａ２，３５ａ３がまとめて削除される。
【００７５】
図１５は、２点間の距離を計測する処理結果が表示されるタッチパネル１４ｂの表示画面の例を示す図である。  
２点間の距離を求めるコマンドにより設定した２つの指定点により形成される線分LNの距離を表示させる処理を実行させると、右眼画像表示領域３３上には、線分LNの部分（点線で示す）が表示され、同時に、図示しない表示領域に、その距離の値が表示される。  
距離の計測をした後、ユーザが、その計測結果に関わる領域である線分LNをタップ等のタッチをすると、計測結果に関する２つの指定点がまとめて削除される。
【００７６】
図１６は、計測結果関連指定点の一括削除処理の流れの例を示すフローチャートである。図１６の処理は、計測結果が表示されている状態において、制御部１２により実行される。図１６の処理は、図３の処理に加えて実行される。
【００７７】
制御部１２は、右眼画像表示領域３３上において、表示した計測結果に関わる領域がタッチされたか否かを判定する（S21）。右眼画像表示領域３３上において、表示した計測結果に関わる領域がタッチされると（S21:YES）、制御部１２は、表示した計測結果に関係する指定点を一括して削除する（S22）。図１４においては、指定点３５ａ１，３５ａ２，３５ａ３が纏めて削除され、同時に対応点３５ｂ１，３５ｂ２，３５ｂ３の表示を消え、図１５においては、指定点３５ａ１，３５ａ２が纏めて削除され、同時に対応点３５ｂ１，３５ｂ２の表示を消える。  
表示した計測結果に関わる領域がタッチされなければ（S21:NO）、制御部１２は、処理を何もしない。
【００７８】
以上のように、左眼画像表示領域３２上に、指定点が複数表示され、複数の指定点により規定される面積又は距離が計測されているときに、右眼画像表示領域３３において、計測された面積又は距離に関わる複数の指定点に対する、タッチの操作指示を受けると、表示制御部である制御部１２は、面積又は距離に関わる複数の指定点を一括して削除する。
【００７９】
よって、本変形例３によれば、計測結果に関連する指定点をまとめて削除できるので、ユーザにとって便利である。
（変形例４）
上述した実施の形態では、２つの画像表示領域が表示され、一方の画像表示領域は、内視鏡画像と指定点を表示し、他方の画像表示領域は、対応点を表示するが、計測モードにおいて、他方の画像表示領域にグラフを表示することも可能である。
【００８０】
本変形例４は、一方の画像表示領域には、内視鏡画像と指定点が表示され、他方の画像表示領域には、計測結果のグラフが表示されるようにして、指定点の削除を行うようにした例である。
【００８１】
図１７は、一方の画像表示領域には内視鏡画像と指定点が表示され、他方の画像表示領域には計測結果のグラフが表示されるタッチパネル１４ｂの表示画面の例を示す図である。  
ユーザが、計測モードにおいて、グラフ表示コマンドを入力すると、内視鏡装置１は、右眼画像表示領域３３上には計測結果のグラフが表示されるグラフ表示モードになる。
【００８２】
グラフ表示モードにおいて、ユーザが、左眼画像表示領域３２上で複数の指定点、ここでは４つの指定点ｘ１，ｘ２，ｘ３，ｘ４を指定すなわち設定すると、別の画像表示領域３７上には計測結果のグラフが表示される。すなわち、所定の表示領域としての画像表示領域３７は、左眼画像表示領域３２内に表示される指定点についての計測値のグラフを表示するグラフ表示領域である。
【００８３】
図１７では、画像表示領域３７には、挿入部の先端部から各指定点ｘ１，ｘ２，ｘ３，ｘ４までの距離LLがグラフ表示がされている。  
ユーザが、指定点ｘ１，ｘ２，ｘ３，ｘ４を順番に指定していくと、その順番で、画像表示領域３７上に、各指定点までの距離LLがグラフで表示される。
【００８４】
ユーザが、画像表示領域３７上の任意の位置をタッチすると、図３の指定点減少処理（S6）が実行され、最も新しく指定された指定点が削除される。  
図１８は、画像表示領域３７上の任意の位置がタッチされ、最も新しく指定された指定点が削除されたグラフが表示されるタッチパネル１４ｂの表示画面の例を示す図である。
【００８５】
図１８に示すように、図１７に示す状態において、グラフ表示領域である画像表示領域３７に対するタッチの操作がされると、最新の指定点ｘ４が削除され、その結果、３つの指定点ｘ１，ｘ２，ｘ３が左眼画像表示領域３２上に表示され、画像表示領域３７上には、３つの指定点ｘ１，ｘ２，ｘ３の距離のグラフが表示される。
【００８６】
なお、上述した実施の形態と同様に、S6の処理が複数回実行されると、最も新しく指定された指定点から、最も古く指定された指定点に向かって順番に指定点が削除されていき、併せてグラフも変更されていく。このとき、指定点の数に応じてグラフのスケールを最適にするように更新してもよい。これによって、自動的にスケール調整されることでグラフ上の指定点の間隔が調整され、狙いどおりにタッチしやすくなる。
【００８７】
よって、本変形例４によれば、指定点の計測結果のグラフが表示されている状態で、簡単に指定点を削除でき、かつ対応するグラフを変更することができるので、ユーザにとって便利である。
【００８８】
なお、グラフ表示は、上述した左眼画像表示領域３２と併せて右眼画像表示領域３３に表示されるのではなく、指定点を指定し表示する左眼画像表示領域３２と、対応点を表示する右眼画像表示領域３３と併せて、別のウインドウに表示するようにしてもよい。
【００８９】
図１９は、指定点を指定し表示する左眼画像表示領域３２と、対応点を表示する右眼画像表示領域３３と併せて、別のウインドウに画像表示領域３７ａを表示するタッチパネル１４ｂの表示画面の例を示す図である。
【００９０】
図１９の場合、ユーザは、左眼画像表示領域３２上で指定点ｘ１，ｘ２，ｘ３，ｘ４の指定あるいは追加をすると、右眼画像表示領域３３上に、指定あるいは追加された指定点に対応する対応点ｙ１，ｙ２，ｙ３，ｙ４の表示がされると共に、画像表示領域３７ａ上には、グラフ上の点も追加されていく。
【００９１】
そして、図１９の場合においても、ユーザが、右眼画像表示領域３３上あるいは画像表示領域３７ａ上の任意の場所がタッチされると、最新の指定点ｘ４が削除され、対応点も削除され、グラフも、削除された指定点を含まないグラフとなる。
（変形例５）
上述した実施の形態及び上述した各変形例では、左眼画像表示領域３２と右眼画像表示領域３３は、並んで表示されているが、右眼画像表示領域３３は、左眼画像表示領域３２よりも小さく表示し、かつ左眼画像表示領域３２上に重ねて表示するようにしてもよい。すなわち、右眼画像表示領域３３を、左眼画像表示領域３２とは異なる大きさにしてもよい。
【００９２】
図２０は、本変形例５に関わる、タッチパネル１４ｂの表示画面の例を示す図である。図２０に示すように、右眼画像表示領域３３は、左眼画像表示領域３２よりも小さく表示し、かつ左眼画像表示領域３２上に重ねて表示すると、タッチパネル１４ｂの表示画面上で、左眼画像表示領域３２を大きく表示できる場合がある。
【００９３】
表示領域のサイズが大きい左眼画像表示領域３２上で計測点としての指定点を設定することができ、表示領域のサイズが小さい右眼画像表示領域３３上でマッチング処理が正しく行われているか確認しながら、計測点の削除の指示をすることができる。また、指定点を削除するボタンを配置する必要がないので、左眼画像表示領域３２を最大限大きくすることができる。
（変形例６）
上述した２つの実施の形態では、ステレオ計測モード時に、カーソル表示処理あるいはズーム処理が実行されるが、ステレオ計測モードでない他のモードの時に、２つの画像表示領域に同一の内視鏡画像が表示されているときにも、上述した指定点の追加及び削除処理を実行するようにしてもよい。例えば、同じ内視鏡画像上で、ある点を削除する場合にも便利である。
（変形例７）
上述した２つの実施の形態では、左眼画像表示領域３２と右眼画像表示領域３３の、LCD１４ａ上の位置は、固定されているが、左眼画像表示領域３２と右眼画像表示領域３３の位置を逆にしたり、戻したりすることができるようにしてもよい。すなわち、２つの画像表示領域３２と３３を表示部１４のLCD１４ａ上で左右を、所定の操作に応じて、入れ替えることができるようにしてもよい。
【００９４】
例えば、対面する２名の検査者が、内視鏡装置の１つの表示部に表示された画像を見る場合がある。そのため、内視鏡装置には、表示部の画面の向きを１８０度変更（すなわち反転）できるものがある。その内視鏡装置では、表示部の画面の向きが１８０度変更（すなわち反転）されたときに、表示部の画面の上下方向が逆になる。
【００９５】
よって、このような表示部の画面の向きが反転されたときには、左右の画像表示領域を入れ替えることができるようにしてもよい。
（変形例８）
上述した実施の形態では、内視鏡装置を例に挙げて説明したが、パーソナルコンピュータ等の装置において、記録された内視鏡画像に対して、２つの画像表示領域を表示させて、上述したような計測点である指定点の指定及び削除を行う場合にも、上述した実施の形態は適用可能である。その場合、パーソナルコンピュータ等の装置が、内視鏡画像表示装置を構成する。
（変形例９）
上述した実施の形態では、タッチパネルへの指によるタッチで、左眼画像表示領域３２と右眼画像表示領域３３上の指定点の位置の指定、フリック操作を行っているが、左眼画像表示領域３２と右眼画像表示領域３３のいずれか１つの選択、指定点の指定及び削除のための操作指示は、ジョイスティックなどの操作部において行うようにしてもよい。
【００９６】
例えば、ジョイスティックのボタン操作により、左眼画像表示領域３２と右眼画像表示領域３３のいずれか１つを選択し、ジョイスティックの傾倒によりカーソルを移動させ、ジョイスティックのボタン操作により、上述したタッチ、ダブルタップなどの操作に対応する指示をするようにしてもよい。  
以上のように、上述した実施の形態及び各変形例によれば、指定点の削除が容易な内視鏡画像表示装置を実現することができる。
【００９７】
なお、以上説明した動作を実行するプログラムは、コンピュータプログラム製品として、フレキシブルディスク、ＣＤ−ＲＯＭ等の可搬媒体や、ハードディスク等の記憶媒体に、その全体あるいは一部が記録され、あるいは記憶されている。そのプログラムがコンピュータにより読み取られて、動作の全部あるいは一部が実行される。あるいは、そのプログラムの全体あるいは一部を通信ネットワークを介して流通または提供することができる。利用者は、通信ネットワークを介してそのプログラムをダウンロードしてコンピュータにインストールしたり、あるいは記録媒体からコンピュータにインストールすることで、容易に本発明の内視鏡画像表示装置及び内視鏡画像表示方法を実現することができる。
【００９８】
本発明は、上述した実施の形態に限定されるものではなく、本発明の要旨を変えない範囲において、種々の変更、改変等が可能である。
【符号の説明】
【００９９】
１  内視鏡装置、２  内視鏡、３  装置本体、４  光学アダプタ、１２  制御部、１３  映像信号処理回路、１４  表示部、１４ａ  液晶表示器、１４ｂ  タッチパネル、１５  操作部、１９  音声信号処理回路、２０  スピーカ、２１  マイク、３１  画面、３２  左眼画像表示領域、３３  右眼画像表示領域、３５ａ、３５ａ１，３５ａ２，３５ａ３  指定点、３５ｂ、３５ｂ１，３５ｂ２，３５ｂ３  対応点、３７、３７ａ  画像表示領域。
【図１】
0006429541.tif 000002
【図２】
0006429541.tif 000003
【図３】
0006429541.tif 000004
【図４】
0006429541.tif 000005
【図５】
0006429541.tif 000006
【図６】
0006429541.tif 000007
【図７】
0006429541.tif 000008
【図８】
0006429541.tif 000009
【図９】
0006429541.tif 000010
【図１０】
0006429541.tif 000011
【図１１】
0006429541.tif 000012
【図１２】
0006429541.tif 000013
【図１３】
0006429541.tif 000014
【図１４】
0006429541.tif 000015
【図１５】
0006429541.tif 000016
【図１６】
0006429541.tif 000017
【図１７】
0006429541.tif 000018
【図１８】
0006429541.tif 000019
【図１９】
0006429541.tif 000020
【図２０】
0006429541.tif 000021